(57)【要約】【課題】薬剤容器を薬剤注入装置へ装填するときに、識別タグを検出するための検出部に対する相対位置合わせを不要にでき、かつ安全性を確保できる薬剤容器とこれを用いた薬剤注入装置の提供。【解決手段】収容された薬剤または収容されるべき薬剤に関する薬剤データを記録した識別タグ３を、容器に接続される接続チューブ５の途中に設けた形状部材６に固定し、装填部１２に配設されるアンテナ４６との間で、薬剤データとホットデータの通信をする。【選択図】  図１
2004236695.tif 000002
【特許請求の範囲】
【請求項１】
収容された薬剤または収容されるべき薬剤に関する薬剤データを記録した識別タグ、容器に接続される接続チューブの途中に設けた形状部材を含み、
前記形状部材は、薬剤注入装置側の装填部に着脱自在に設けられ、
前記識別タグは、
前記薬剤に関する薬剤データを記録した記憶部と、
前記記憶部に接続される第１の無線通信部とを有し、
前記第１の無線通信部と前記装填部に配設される第２の無線通信部との間で、前記薬剤データの通信をすることを特徴とする薬剤容器。
【請求項２】
前記形状部材は、該容器及び該接続チューブと一体的に設けられることを特徴とする請求項１に記載の薬剤容器。
【請求項３】
請求項１また２に記載の薬剤容器を用いた薬剤注入装置であって、
前記形状部材に合致する形状を有するとともに、蠕動ポンプ手段を配設した前記装填部を具備し、
前記第１の無線通信部と前記装填部に配設される前記第２の無線通信部との間で、前記薬剤データの通信を可能にしたことを特徴とする薬剤容器を用いた薬剤注入装置。
【請求項４】
前記蠕動ポンプ手段に対向配置され、前記接続チューブに対する押圧力を発生する押圧板と、
前記押圧板を設け、薬剤注入装置の本体に対して開閉自在かつ係止状態に維持される開閉蓋と、をさらに具備することを特徴とする請求項３に記載の薬剤容器を用いた薬剤注入装置。
【請求項５】
請求項１または２に記載の薬剤容器を用いた薬剤注入装置であって、前記形状部材に合致する形状を有するとともに、蠕動ポンプ手段を配設した前記装填部と、係止手段による係止状態に維持されることで、前記第１の無線通信部と前記装填部に配設される前記第２の無線通信部との間で、前記薬剤データの通信を可能にしたことを特徴とする薬剤容器を用いた薬剤注入装置。
【請求項６】
前記所定形状部材に配設されることで、前記接続チューブに対する押圧力を発生する押圧板をさらに具備し、前記係止手段は、前記装填部に配設される一方の係止手段と、前記形状部材に配設されることで前記一方の係止手段に対する係止状態に維持される他方の係止手段とを備えることを特徴とする請求項５に記載の薬剤容器を用いた薬剤注入装置。
【請求項７】
請求項１または２に記載の薬剤容器を用いた薬剤注入装置であって、
前記形状部材に合致する形状を有するとともに、ローラポンプ手段を配設した前記装填部と、係止手段を備え、前記係止手段による係止状態に維持されることで、
前記第１の無線通信部と前記装填部に配設される前記第２の無線通信部との間で、前記薬剤データの通信を可能にしたことを特徴とする薬剤容器を用いた薬剤注入装置。
【請求項８】
前記形状部材に配設されることで前記接続チューブに対する押圧力を発生する押圧板をさらに備え、前記係止手段は、前記装填部に配設される一方の係止手段と、前記形状部材に配設されることで前記一方の係止手段に対する係止状態に維持される他方の係止手段とを備えることを特徴とする請求項７に記載の薬剤容器を用いた薬剤注入装置。
【請求項９】
収容された薬剤または収容されるべき薬剤に関する薬剤データを記録した識別タグを、シリンジの押子に固定し、前記押子を薬剤注入装置側の押子移動手段に対して着脱自在に設けたことを特徴とする薬剤容器。
【請求項１０】
前記識別タグは、
前記薬剤データを記録した記憶部と、
前記記憶部に接続される第１の無線通信部とを有し、
前記第１の無線通信部と前記押子移動手段に配設される第２の無線通信部との間で前記薬剤データの通信を可能にしたことを特徴とする請求項９に記載の薬剤容器。
【請求項１１】
前記シリンジは、その外筒内部にストッパー部材を備えたことを特徴とする請求項９に記載の薬剤容器。
【請求項１２】
請求項９乃至１１のいずれかに記載の薬剤容器を用いた薬剤注入装置であって、  前記押子移動手段は、リードネジ軸体を回転駆動するモータ駆動機構部と、前記リードネジ軸体に対する係止状態と解除状態にするための回動力を伝達するとともに前記押子をセットする凹部を有した移動部材を移動する中空管を備え、
前記第２の無線通信部に接続される配線を、前記中空管内を挿通させることにより、前記第１の無線通信部と前記押子移動手段に配設される第２の無線通信部との間で前記薬剤データの通信を可能にしたことを特徴とする薬剤容器を用いた薬剤注入装置。
【請求項１３】
請求項９乃至１１のいずれかに記載の薬剤容器を用いた薬剤注入装置であって、  前記押子移動手段は、リードネジ軸体を回転駆動するモータ駆動機構部と、前記リードネジ軸体に対する係止状態と解除状態にするための回動力を伝達するとともに前記押子をセットする凹部を有した移動部材を備え、  前記第１の無線通信部と前記押子移動手段に配設される第２の無線通信部との間で前記薬剤データの通信を可能にしたことを特徴とする薬剤容器を用いた薬剤注入装置。
【発明の詳細な説明】
【０００１】
【発明の属する技術分野】
本発明は、薬剤容器とこれを用いた薬剤注入装置に係り、特に輸液ポンプやシリンジポンプのように生体に対して薬液を注入する際に、薬剤の取り違いや、投与条件の設定などのミスを未然に防止する技術に関するものである。
【０００２】
【従来の技術】
医療現場において、主に看護師の不足により薬剤の取り違えミスや投与条件の設定ミスによる医療過誤が多く社会問題化している。このような問題に対処する為に、薬剤容器にバーコードを貼り付け、薬液注入ポンプにセットする時にバーコードリーダで読取、照合するという方法が提案されている（例えば、特許文献１）。
【０００３】
しかしながら、薬剤容器を薬剤注入装置の装填部に正しくセットする際に、バーコードの面とバーコードリーダの読取面とを合わせなければならないという煩わしい作業が伴うこととなる。また小さい薬剤容器の場合には、バーコードを貼り付ける面積が十分に確保できない。
【０００４】
一方、シリンジを扱うシリンジポンプでは、シリンジの突出部（フランジ部）に識別タグを固定する方法が提案されている（例えば、特許文献２）。しかし、この場合にもシリンジをシリンジポンプにセットする時に識別タグと検出部の相対位置合わせをしなければならないので、煩わしい作業が伴うこととなる。
【０００５】
さらに、輸液バッグと輸液セットはベッドサイドで接続することが多いが、薬剤の入った輸液バックを特定しても、蠕動式ポンプの場合には接続チューブのみセットするこで、違う設定状態にセットされた輸液ポンプに対して誤って接続してしまうおそれも指摘されている。
【０００６】
また、薬剤注入装置において、識別（ＩＤ）タグを使用することも提案されている（例えば、特許文献３）。
【０００７】
【特許文献１】
特表平５−５００９１７号公報。
【０００８】
【特許文献２】
特表平８−５０９４０２号公報。
【０００９】
【特許文献３】
米国特許公開公報２００１−４９６０８号公報。
【００１０】
【発明が解決しようとする課題】
したがって、本発明は上記の問題点に鑑みて成されたものであり、薬剤容器を薬剤注入装置へ装填するときに、識別タグを検出するための検出部に対する相対位置合わせを不要にすることができ、かつ誤った薬剤容器を装填することを防止して安全性を確保できる薬剤容器とこれを用いた薬剤注入装置の提供を目的としている。
【００１１】
【課題を解決するための手段】
上述した課題を解決し、目的を達成するために、本発明によれば、収容された薬剤または収容されるべき薬剤に関する薬剤データを記録した識別タグ、容器に接続される接続チューブの途中に設けた形状部材を含み、形状部材は、薬剤注入装置側の装填部に着脱自在に設けられ、識別タグは、薬剤に関する薬剤データ（薬剤識別データ等の薬剤そのものの識別データ、薬剤識別コード等の薬剤そのものの薬剤識別データ、標準医薬品コード標準医薬品番号（連番等）等の薬剤認識データ、それぞれの病院等の医療機関で定めた任意の番号、コード等をの少なくともいずれかを含む）を記録した記憶部と、記憶部に接続される第１の無線通信部とを有し、第１の無線通信部と装填部に配設される第２の無線通信部との間で、薬剤データの通信をすることを特徴としている。
【００１２】
また、上述の形状部材は、容器及び接続チューブと一体的に設けられていることを特徴としている。
【００１３】
また、上述の薬剤容器を用いた薬剤注入装置であって、形状部材に合致する形状を有するとともに、蠕動ポンプ手段を配設した装填部を具備し、第１の無線通信部と装填部に配設される第２の無線通信部との間で、薬剤データの通信を可能にしたことを特徴としている。
【００１４】
また、蠕動ポンプ手段に対向配置され、接続チューブに対する押圧力を発生する押圧板と、押圧板を設け、薬剤注入装置の本体に対して開閉自在かつ係止状態に維持される開閉蓋と、をさらに具備することを特徴としている。
【００１５】
また、形状部材に合致する形状を有するとともに、蠕動ポンプ手段を配設した装填部と、係止手段による係止状態に維持されることで、第１の無線通信部と装填部に配設される第２の無線通信部との間で、薬剤データの通信を可能にしたことを特徴としている。
【００１６】
また、所定形状部材に配設されることで接続チューブに対する押圧力を発生する押圧板をさらに具備し、係止手段は、装填部に配設される一方の係止手段と、形状部材に配設されることで一方の係止手段に対する係止状態に維持される他方の係止手段とを備えることを特徴とする薬剤注入装置である。また、形状部材に合致する形状を有するとともに、ローラポンプ手段を配設した前記装填部と、係止手段を備え、係止手段による係止状態に維持されることで、第１の無線通信部と装填部に配設される第２の無線通信部との間で、薬剤データの通信を可能にしたことを特徴としている。
【００１７】
また、形状部材に配設されることで接続チューブに対する押圧力を発生する押圧板をさらに備え、係止手段は、装填部に配設される一方の係止手段と、形状部材に配設されることで一方の係止手段に対する係止状態に維持される他方の係止手段とを備えることを特徴としている。
【００１８】
さらに、本発明の薬剤容器によれば、収容された薬剤または収容されるべき薬剤に関する薬剤データを記録した識別タグ（薬剤識別データ等の薬剤そのものの識別データ、薬剤識別コード等の薬剤そのものの薬剤識別データ、標準医薬品コード標準医薬品番号（連番等）等の薬剤認識データ、それぞれの病院等の医療機関で定めた任意の番号、コード等をの少なくともいずれかを含む）を、シリンジの押子に固定したことを特徴としている。
【００１９】
また、上述の識別タグは、押子を薬剤注入装置側の押子移動手段に対して着脱自在に設けた薬剤容器であって、識別タグは、薬剤データを記録した記憶部と、記憶部に接続される第１の無線通信部とを有し、第１の無線通信部と押子移動手段に配設される第２の無線通信部との間で薬剤データの通信を可能にしたことを特徴としている。
【００２０】
また、シリンジは、その外筒内部にストッパー部材を備えたことを特徴としている。
【００２１】
また、上述の薬剤容器を用いた薬剤注入装置であって、押子移動手段は、リードネジ軸体を回転駆動するモータ駆動機構部と、リードネジ軸体に対する係止状態と解除状態にするための回動力を伝達するとともに押子をセットする凹部を有した移動部材を移動する中空管を備え、第２の無線通信部に接続される配線を、中空管内を挿通させることにより、第１の無線通信部と押子移動手段に配設される第２の無線通信部との間で薬剤データの通信を可能にしたことを特徴としている。
【００２２】
また、上述の薬剤容器を用いた薬剤注入装置であって、押子移動手段は、リードネジ軸体を回転駆動するモータ駆動機構部と、リードネジ軸体に対する係止状態と解除状態にするための回動力を伝達するとともに押子をセットする凹部を有した移動部材を備え、第１の無線通信部と押子移動手段に配設される第２の無線通信部との間で薬剤データの通信を可能にしたことを特徴としている。
【００２３】
【発明の実施の形態】
以下に本発明の実施の形態であって、薬剤容器をバッグまたはシリンジとし、薬剤注入装置を蠕動式ポンプ、ローラポンプ、シリンジポンプに適用した場合について述べる。これらの薬剤注入装置としては他にもダイヤフラム式輸液装置等があり、以下に説明する構成に限定されないことは言うまでもない。
【００２４】
先ず、図１は、薬剤容器と薬剤注入装置の第１実施形態の外観斜視図である。本図において、薬剤である輸液剤や生理食塩水等の薬剤が収納された輸液バッグ４には接続チューブ５が接続されている。この接続チューブ５は塩化ビニルなどの弾性変形可能なチューブが用いられ、先端には穿刺針７が接続されており、蠕動式ポンプの場合、接続チューブ５の途中部位を外径方向から順次押圧することで蠕動運動により薬剤を穿刺針７側に送り出すことで患者に注入する。
【００２５】
この接続チューブ５の途中位置には、図示のような開口部６ａを形成した長方形の所定形状の形状部材６が設けられており、接続チューブ５が開口部６ａから覗くようにして固定されている。以上の輸液バッグ４と接続チューブ５と形状部材６と穿刺針７が、好ましくは一体化された輸液セット１として準備される。
【００２６】
一方、形状部材６は所定樹脂材料から成型されるとともに、上記の薬剤に関する薬剤データ（薬剤識別データ等の薬剤そのものの識別データ、薬剤識別コード等の薬剤そのものの薬剤識別データ、標準医薬品コード、標準医薬品番号（連番等）等の薬剤認識データ、それぞれの病院等の医療機関で定めた任意の番号，コード等をの少なくともいずれかを含む）を記録した識別タグ３が図示の位置に固定されるか、識別タグ３がインサート成型されている。この識別タグ３は、薬剤に関する薬剤データ（薬剤識別データ等の薬剤そのものの識別データ、薬剤識別コード等の薬剤そのものの薬剤識別データ、標準医薬品コード標準医薬品番号（連番等）等の薬剤認識データ、それぞれの病院等の医療機関で定めた任意の番号，コード等をの少なくともいずれかを含む）とを記録した記憶部と、この記憶部に接続される第１の無線通信部とを有している。また、識別タグ３の記憶部は、書換不能な薬剤データ（薬剤名、注入速度の上限／限値等）を記憶する領域、書換可能なデータ（担当医、担当医コード患者名患者コード等）を記憶する領域を備えていてもよい。
【００２７】
上記の輸液セット１を使用する蠕動ポンプ式の輸液装置１０には、形状部材６を装填するために、形状部材６の外形寸法および形状に一致する凹部を有した装填部１２が設けられており、この装填部１２において、さらに蠕動ポンプ機構１１が設けられている。この装填部１２には、識別タグ３の第１の無線通信部との間で無線により情報のやりとりを行う第２の無線通信部となるアンテナ４６が埋設されており、形状部材６を装填部１２にセットしたときに識別タグ３がアンテナ４６と対向するようにしている。
【００２８】
蠕動ポンプ式の輸液装置１０には、ヒンジで開閉自在にされた開閉蓋８が設けられている。この開閉蓋８には、さらに形状部材６の開口部６ａから露出した接続チューブ５ａに対する押圧力を発生するための押圧板９が内蔵されており、開閉蓋８を装填部１２に対する係止状態に図示しない係止機構により維持することで、蠕動ポンプ機構１１に設けられた複数のフィンガによる蠕動運動を押圧板９との間で挟持された接続チューブ６ａに印加することで薬剤を送り出すように構成されている。
【００２９】
以上の構成によれば、薬剤認識時の位置合わせなどの煩わしい作業を要することなく薬剤の自動認識を識別タグ３の電子的な認識により実施することができるようになる。特に、輸液セット１は患者のベッドの近くで接続するときに、輸液セット１の識別タグ３を固定した形状部材６を輸液装置１０にセットすることで確実に薬剤認識をすることが可能になった。
【００３０】
次に、図２は、薬剤容器と薬剤注入装置の第２実施形態の外観斜視図である。本図において、既に説明済みの構成部品については同様の符号を附して説明を割愛する。形状部材６には、接続チューブ５の上下の複数の所定箇所（６箇所）を挿通することで支持するための突起部６ｂが形成されている。また、破線図示の押圧板９がさらに内蔵されている。一方、この形状部材６の右側面には２箇所の係止溝部６ｃ、６ｃが、また左側面には２箇所の係止溝部６ｄ、６ｄが、係止溝部６ｃ、６ｃと高さ位置をずらして夫々形成されている。
蠕動ポンプ式の輸液装置１０の装填部１２には、形状部材６の６箇所の突起部６ｂとともに接続チューブ５を挿入するための凹部１４が形成されている。また凹部１４の間には、接続チューブの閉塞状態を検出する閉塞センサ１８と、気泡混入を検出する気泡センサ１９が配設されている。
【００３１】
この装填部１２には、さらに上記の係止溝部６ｃ、６ｃに係止する係止爪２０、２０と係止溝部６ｄ、６ｄに係止する係止爪２１、２１が設けられている。係止爪２１、２１はレバー２２に固定される軸体２３により回動力が伝達されることで係止状態を解除できるように構成されている。
【００３２】
即ち、図２のＸ−Ｘ線矢視断面図である図３において、軸体２３は装填部１２の裏面において回動自在に軸支されており、途中に係止爪２１を固定しており、図示しないトーションバネにより矢印方向に回動付勢されている。この状態から、レバー２２を指先で回動することで係止状態を解除できるように構成されている。つまり、図４の図２の薬剤容器と薬剤注入装置を動作状態にした外観斜視図において、レバー２２を操作することで形状部材６を図示の係止状態から解除して取り外すことができるようにしている。
【００３３】
以上の構成によれば、蠕動ポンプ機構１１に設けられた複数のフィンガによる蠕動運動を、形状部材６に内蔵された押圧板９との間で挟持された接続チューブ６ａに印加することで薬剤を送り出すようにできるとともに、薬剤認識時の位置合わせなどの煩わしい作業を要することなく薬剤の自動認識を識別タグ３の電子的な認識により実施することができる。また、形状部材６は複数箇所（２箇所）の係止溝部６ｄ、６ｄが、係止溝部６ｃ、６ｃと高さ位置をずらして夫々形成されているので上下を逆にセットすることはできないことになる。
【００３４】
次に、図５は、薬剤容器と薬剤注入装置の第３実施形態の外観斜視図である。本図において、既に説明済みの構成部品については同様の符号を附して説明を割愛すると、形状部材６は図示のような形状を有しており、図示しない係止機構によりローラポンプ１１０の装填部１４２に対して装填される。
【００３５】
以上の構成により、ローラポンプ１１０に設けられたローラと、形状部材６との間で接続チューブ６を挟持してローラによる送液運動を接続チューブ６に対して加することで薬剤を送り出すようにできる。さらに、薬剤認識時の位置合わせなどの煩わしい作業を要することなく薬剤の自動認識を識別タグ３に対向配置されるアンテナ４６との間で電子的な認識により実施することができる。さらに、上下を逆にセットすることはできないようになる。
【００３６】
図６は、薬剤容器（シリンジ）と薬剤注入装置の第４実施形態に係るシリンジポンプ３０の要部を示した断面図である。
【００３７】
本図において、このシリンジポンプ３０は、ＩＣＵ、ＣＣＵ、ＮＩＣＵでの、栄養補給や輸血、化学療法剤、麻酔剤などの薬液注入を目的とした微量持続注入用であり、注入の高精度と操作性の向上を重視するために制御手段としてマイクロコンピュータによる精密な注入動作制御を実現可能にするとともに、警告手段である動作インジケータが設けられており、この動作インジケータが赤色または緑色に多色に点灯、点滅したり、回転点灯表示するようにしてその動作状態や警報状態が遠方からでもモニターできるようにして安全性を万全にしたものである。この動作インジケータは、好ましくは、外部から見易い位置において上方に突出して設けられている。
【００３８】
さらに、ブザーが内蔵されており連続注入時における流量の上・下限値、ワンショット投与時における上・下限値、時間と流量の双方またはいずれか一方の設定を行なうときに、上・下限値を外れた設定が操作部または設定ダイヤルを用いて行なわれたときに、上記の動作インジケータとともに音と光による警告により注入の停止を促すことで安全性を考えた警報機能が備わっている。
【００３９】
また、小型・軽量であり、複数台数を同時使用する場合にも使用に便利となり持ち運びも簡単となるように設計されている。さらに、装置の右側面の設定ダイヤルを回すことで回転速度と回転方向に応じた数値設定が短時間でできるようにする一方で、表示パネルの表示部に設定値を表示できるようにして、流量などの数値の設定変更時は、設定ダイヤルの操作によりワンアクションで簡単に行えるようにしている。
【００４０】
そして、図中の矢印Ａ４方向に駆動されるスライダ組立体２５は、ケース上を往復移動するように、スライダー送り機構に対して中空管であるパイプシャフト、インナークラッチシャフトの端部において連結固定されており、スライダ組立体２５のクラッチレバー２６を手動で操作することで、シリンジ２の押子２ｐを簡単に装着または取り外すことができるように構成されている。シリンジ２はシリンジ２のフランジ部２ｈが図示のように移動部材の１つとして形成する凹部にセットされてからクランプ３２により図示の位置に固定される。
【００４１】
一方、押子２ｐには識別タグ３である、記憶部を有するＩＣチップから構成される識別タグ３が固定されている。この識別タグ３は、収容された薬剤または収容されるべき薬剤に関する薬剤データを記録している。具体的には、この識別タグ３は、薬剤に関する薬剤データ（薬剤識別データ等の薬剤そのものの識別データ、薬剤識別コード等の薬剤そのものの薬剤識別データ、標準医薬品コード標準医薬品番号（連番等）等の薬剤認識データ、それぞれの病院等の医療機関で定めた任意の番号，コード等をの少なくともいずれかを含む）を記録した記憶領域を有しているる。また、薬剤の種類及び濃度と、連続注入時における流量の上・下限値、ワンショット投与時における上・下限値、時間と流量の双方またはいずれか一方の薬剤データ等、医師などの医療従事者が変更できない記憶領域を有していてもよい。さらに、医師などの医療従事者がデータ入力装置を用いて書換可能なデータ（担当医，  担当医コード患者名患者コード等）を入力、記憶する領域を備えていてもよい。
【００４２】
また、薬剤が収納されたシリンジ２の押子２ｐをスライダ組立体２５に図示のようにセットすると、識別タグ３に対応した位置に配設された、第２の無線通信部であるアンテナ４６による電気的な検出が可能となる。なお、シリンジ２の押子２ｐの先端はシリコンンゴム等で形成され、薬剤を液密に保持するガスケット２ａが設けられている。一方、シリンジ外筒２ｂの内側には、ガスケット２ａが抜け落ちないように突起部（ストッパー部材）２ｃが設けられている。識別タグがついた押子がはずれると一対一に対応できなくなるのを防止している。予め薬剤が収容（充填）されたシリンジ、即ち、プレフィルドシリンジにおいては、突起部（ストッパー部材）２ｃにより、識別タグ３がついた押子２ｐが容易にはずれることがないので薬剤の誤投与を確実に防止できる。
【００４３】
リードネジ軸体３７は基部３３において軸支されており、ステッピングモータ１１９により回転駆動されるとともに、リードネジ軸体３７に対する係止状態と解除状態にする回動力を伝達する中空管２７を備えており、第２の無線通信部であるアンテナ４６から接続される配線２８（破線図示）を挿通させることにより、識別タグ３と第２の無線通信部を介してシリンジポンプ本体内の薬剤検出回路６５との間の有線での通信を可能にしている。なお、第２の無線通信部と薬剤検出回路６５との間の通信を無線で通信してもよい。
【００４４】
以上の構成において、クラッチを解除してスライダーを移動させ、スライダー組立体（押子移動手段）２５のクラッチレバー２６を押すことで手で動かせるようになる。
【００４５】
そこで、シリンジ２の押子２Ｐがスライダ組立体２５に当接するようにしてから、クラッチレバー２６を離すと、左右フック（不図示）がシリンジ２の押子２Ｐを自動的に保持する。以上でシリンジ装填手段によるセットが終了する。
【００４６】
以上の構成により、スライダ組立体２５が押子２Ｐを矢印Ａ方向に押圧移動して薬液の注入を行ない、注入動作が完了すると、送り方向とは逆方向へ移動して、初期の位置へ戻る。
【００４７】
図７は、識別タグ３のブロック図である。本図において、識別タグ３は、アナログ入出力回路部３９とデジタル回路であるＣＰＵ３５とから構成されている。アナログ入出力回路部３９には、第１の無線通信部であるループアンテナ４５に接続されることで薬剤検出回路６５（図８参照）から配線２８を経てアンテナ４６を介して発信される所定周波数の無線をアンテナ４５を介して受信する無線周波数回路（ＲＦ回路）４０が接続されている。この無線周波数回路４０にはＣＰＵ３５に対して所定電圧を供給する電源部４１と、読み取られた薬剤データをデジタル信号化してＣＰＵ３５に送るための第１信号制御部４２と、クロック信号を発生してＣＵＰ３５を起動及び駆動するクロック部４４とが接続されている。なお、ＣＰＵ３５から送られた時間と流量に関するデジタル信号をアナログ信号に変換して無線周波数回路４０に送る第２信号制御部４３を必要に応じて備えていてもよい。
【００４８】
一方、ＣＰＵ３５は、ＲＯＭ３７に接続されている。ＲＯＭ３７には、薬剤に関する薬剤データ（薬剤識別データ等の薬剤そのものの識別データ、薬剤識別コード等の薬剤そのものの薬剤識別データ、標準医薬品コード標準医薬品番号（連番等）等の薬剤認識データ、それぞれの病院等の医療機関で定めた任意の番号，コード等をの少なくともいずれかを含む）が記憶されている。必要に応じて、フラッシュメモリである書換え可能なＥ２ＰＲＯＭ３６を設け、薬剤の種類及び濃度と、連続注入時における流量の上・下限値、ワンショット投与時における上・下限値、時間と流量の双方またはいずれか一方の薬剤データ等、医師などの医療従事者が変更できないデータの記憶、医師などの医療従事者がデータ入力装置を用いて書換可能なデータ（担当医，  担当医コード患者名患者コード等）を入力、記憶可能としてもよい。ＲＡＭ３８は、信号処理の際における記憶部として使用される。
【００４９】
この識別タグ３は、大きな面積を占有するループアンテナ４５に接続される集積回路チップをベース上に特殊印刷したものであり、これ自体には電源を有しておらず、ループアンテナで受信した電波による電磁誘導により発電を行い、この発電で回路を駆動することで読取り及び書換えを行うように構成されている。この識別タグ３は、薬剤認識コードとしての役割を果たす。
【００５０】
図８は、シリンジポンプ３０のブロック図である。本図において、既に説明済みの構成部品については同様の符号を附して説明を割愛すると、制御手段のＣＰＵ１００に対して制御回路１０４が接続されている。この制御回路１０４は薬剤検出回路６５に接続されており、配線２８を介して上記のループアンテナ４６がさらに接続されている。このループアンテナ４６は上記のようにシリンジ２を装填した状態において、識別タグ３のループアンテナ４５に対向配置されるので、制御回路１０４から送られる制御信号のやり取りによって、識別タグ３の読み込みを行うように構成されている。なお、書き換え併せておこなえるように構成してもよい。ループアンテナ４６の近傍にＡ／Ｄ変換回路を設けてデジタルデータに変換して、薬剤検出回路６５に送信してもよいし、Ａ／Ｄ変換回路を設けないで、アナログデーダを薬剤検出回路６５に送信してもよい。また、配線２８を介さず、無線で送信してもよい。
【００５１】
このＣＰＵ１００には、シリンジ２の外径寸法をシリンジ２をセットするためにクランプ３２の移動量の検出により行うシリンジサイズ検出回路１０５と、押子２ｐの移動量の検出から薬剤の残量を検出する残量検出回路１０６と、押子移動力の増加を検出して接続チューブ５の閉塞状態を検出する閉塞検出回路１０７と、押子２ｐがスライダ組立体２５から脱落したことを検出する押子・クラッチ外れ検出回路１０８とが接続されている。また、ＣＰＵ１００には、スイッチとダイヤルの操作により設定される設定値を検出してＣＰＵ１００に送るスイッチ・ダイヤル検出回路１０９と、電源スイッチのオン・オフを検出する電源スイッチ回路１１０と、ＣＰＵ１００の動作をモニターする監視回路１１６と、スライダ組立体２５を駆動するモータ１１９の駆動制御を行うモータ駆動回路１１８と、モータ１１９の回転量を検出することで送液を測定するモータ回転検出回路とが接続されている。
【００５２】
さらに、ＣＰＵ１００には、ブザー７を駆動するブザー駆動回路１２０と、ＬＥＤ表示部を駆動するＬＥＤ表示駆動回路１２１と、液晶部を駆動する液晶表示駆動回路１２２と、外部通信コネクタ２２に接続されることで緊急の場合にナースを呼び出すナースコール回路１２３と、データ入力装置に接続されて識別タグ３の薬剤認識データの情報をホストコンピュータ、ナースセンター等外部に有線（院内ＬＡＮ等）または無線（赤外線等）で通信可能にできる外部通信回路１２４とが接続されている。こうして、予め登録された様々な薬剤認識データベース（薬剤ライブラリ）と照合、確認が可能となっている。
【００５３】
また、電源回路１１３には電源入力コネクタ１１２が接続されており、商用電源からの電力供給を受けて、充電回路１１４を駆動して充電バッテリー１１５の充電と上記の電源スイッチ回路１１０への電力供給を行うようにしている。この電源回路１１３は、さらに直流電源入力のためのコネクタ１１１が接続されており、直流電源による駆動を行えるようにしている。
【００５４】
尚、識別タグ３には、薬剤データ（薬剤識別データ等の薬剤そのものの識別データ、薬剤識別コード等の薬剤そのものの薬剤識別データ、標準医薬品コード標準医薬品番号（連番等）等の薬剤認識データまたは連番コードが記憶されている。薬剤収納容器がシリンジの場合には、所定の薬剤（鎮痛剤，麻酔剤、抗ガン剤、ビタミン剤等）が予め収納されたフレフィルドシリンジとして準備される場合や、調合後にシリンジに薬剤を充填した後、識別タグ３の情報をループアンテナ４５を介してループアンテナ４６で読み取り、ホストコンピュータ等に薬剤認識データベースに予め登録する場合がある。
【００５５】
以上のように、薬剤容器を薬剤注入装置へ装填するときに、識別タグを検出するための検出部に対する相対位置合わせを不要にすることができ、かつ誤った薬剤容器を装填することを防止して安全性を確保できるようになる。
【００５６】
【発明の効果】
以上説明したように、本発明によれば、薬剤容器を薬剤注入装置へ装填するときに、識別タグを検出するための検出部に対する相対位置合わせを不要にすることができ、かつ誤った薬剤容器を装填することを防止して安全性を確保できる薬剤容器とこれを用いた薬剤注入装置を提供することができる。
【図面の簡単な説明】
【図１】薬剤容器と薬剤注入装置の第１実施形態の外観斜視図である。
【図２】薬剤容器と薬剤注入装置の第２実施形態の外観斜視図である。
【図３】図２のＸ−Ｘ線矢視断面図である。
【図４】図２の薬剤注入装置の動作状態を示した外観斜視図である。
【図５】薬剤容器と薬剤注入装置の第３実施形態の外観斜視図である。
【図６】薬剤容器と薬剤注入装置の第４実施形態の要部断面図である。
【図７】識別タグのブロック図である。
【図８】シリンジポンプ３０のブロック図である。
【符号の説明】
１  輸液セット
２  シリンジ
３  識別タグ（第１の無線通信部）
４  バッグ
５  接続チューブ
６  形状部材
１０  蠕動式輸液装置
１１  蠕動ポンプ機構
１２  装填部
４６  アンテナ（第２の無線通信部）
【図１】
2004236695.tif 000003
【図２】
2004236695.tif 000004
【図３】
2004236695.tif 000005
【図４】
2004236695.tif 000006
【図５】
2004236695.tif 000007
【図６】
2004236695.tif 000008
【図７】
2004236695.tif 000009
【図８】
2004236695.tif 000010